(57)【要約】      （修正有）【課題】ファスナーにスライダを取り付けた状態で運搬しても勝手にこぼれたり、店頭などに展示してもスライダをスライドさせることが出来ず且つ盗難等を防止することが出来且つ袋体の購入者は簡単にスライダをスライドさせることが可能で商品を取り出すことの出来るスライダ保持カバーを提供する。【解決手段】ファスナー２に取り付けたスライダ３周囲に側壁及び上面壁と前面開口部後面壁を設け、該スライダ３を覆うスライダ保持部材４と、一方に平板で突起部５ａと、他方に前記突起部５ａを嵌め入れる穴をそれぞれ設けた柔軟な係止部材５と、前記スライダ保持部材と係止部材とを連結する連結棒６と、を備え、小孔１ａを設けた袋体１に固定するスライダ保持カバー７及び袋体の前記小孔に前記突起部５ａを通し、前記スライダー保持カバー７を取り付けて固定するファスナー付袋体１。【選択図】図２
2012140144.tif 000002
【特許請求の範囲】
【請求項１】
袋体に設けたファスナーに取り付けたスライダ周囲の両側側壁と上部壁と前面に設けた開口部および後面壁とより成り該スライダを覆うスライダ保持部材と、
曲げ可能な平板の一方の端部近傍に先太部を設けた突起部を、平板の他方の端部近傍に前記先太部を嵌め入れる穴をそれぞれ設けた係止部材と、
前記スライダ保持部材と係止部材とを連結する連結棒と、
を備えてなることを特徴とするスライダ保持カバー。
【請求項２】
袋体に設けたファスナーに取り付けたスライダ周囲の両側側壁と上部壁と前面に設けた開口部および後面壁とより成り該スライダを覆うスライダ保持部材と、
曲げ可能な平板の一方の端部近傍に先太部を設けた突起部を、平板の他方の端部近傍に前記先太部を嵌め入れる穴をそれぞれ設けた係止部材と、
前記スライダ保持部材と係止部材とを連結する連結棒と、
を備えたスライダ保持カバーを、前記係止部材の前記突起部を袋体のファスナー近傍に設けた小孔を通し、該突起部に前記穴に通して固定することを特徴とするスライダ保持カバーを設けた袋体。
【請求項３】
前記スライダ保持部材には、スライダを覆うように嵌め入れたとき、前記スライダ保持部材の側壁はスライダ寄りに全体を湾曲させかつ内側壁にスライダ側部と接するように凹凸を設けたことを特徴とする請求項１または２に記載のスライダ保持カバーまたは／及びファスナー付袋体。
【発明の詳細な説明】
【技術分野】
【０００１】
本発明は、薄い合成樹脂製等の袋体の開口部に取り付けたファスナーに開閉用としてスライダを取り付け、商品を収納した袋体を運搬する際商品がこぼれ出たりしないようにしたり、店頭に並べたとき内部の商品の盗難を防止することのできるスライダ保持カバー及びこのこれを取り付を取り付けたファスナー付袋体に関する。
【背景技術】
【０００２】
一般に化粧品や菓子類或いは文房具類等薄い樹脂製等の薄いシートで製作された袋体に収納してスーパーストアやコンビニエンスストア等の店頭に並べて販売することが多い。近年は、図１６に示すように、袋体１にファスナー２を設け、該ファスナー２にスライダ３を取り付けてスライドさせることによって開閉し、内部の商品を出し入れするものもある。この場合、図１６（Ａ）、（Ｂ）に示すように、ファスナー２は、袋体１の開口部の近傍の一方の内壁１ｂに設けられた凸条係合部２ａと、ほぼ同じ位置の対向する内壁１ｃに設けられ該凸条係合部２ａを嵌め入れる凹条溝係合部２ｂと、からなり、スライダ３でファスナー２を開閉する。スライダ３には、凸条係合部２ａと凹条係合部２ｂとを分離する突起３ａと係合させる凹部３ｂとが形成されている。
【０００３】
多数の商品を収納した袋体を運搬するときスライダ３を閉めておいたつもりでも、一部の袋体では若干開いた状態で運ばれると袋体内部の商品が自然とこぼれ出ることもある。通常、ファスナー２にスライダ３を取り付けた商品入り袋体１を店頭に並べて置いた場合、スライダ３は簡単にスライドさせることができるので袋体１内の商品はフアァナー２を開けて簡単に取り出すことが可能である。従って、袋体１内の商品は簡単に万引きされることもあり、また店頭で例えば吊り下げた状態で袋体を並べた場合その状態で盗難されると簡単には気付かれない。しかもスライダのスライド操作時には殆ど周囲の人に聞こえるような音はしないので余計に気付かれない。このようにファスナー２にスライダ３を取り付けることは便利であるが、店頭販売時盗難に逢いやすいという問題がある。
【０００４】
従来の店頭に吊り下げた袋体入り商品を盗まれない工夫としては、帯状体に再閉塞可能なファスナーにプラスチック製のスライダを跨いで走行させるように取り付け、前記ファスナーのの端部に設けた端側停止部で停止し、該スライダの突出部がファスナーの凹部に嵌まり、固定するように構成されたスライダを閉じた位置に保持する構造を備えた再閉塞可能なプラスチック製ファスナーが知られている（特許文献１）。その他盗難防止用の簡易な錠が要求される袋物類等のスライダとしてはジッパーのスライダーに設けるものがある（特許文献２）。
【先行技術文献】
【特許文献】
【０００５】
【特許文献１】特開平５−９１９１１
【特許文献２】特開２０００−２２５００７
【発明の概要】
【発明が解決しようとする課題】
【０００６】
図１５に示すように、袋体１の開口部にファスナー２を設けてスライダ３を取り付けると、開口部のファスナー２を開閉するためには、スライダ３をスライドさせないと開閉することは出来ない。従って、スライダ３をファスナー２にスライド不可能に固定すれば、袋体に収納した商品は取り出し不可能となり、商品のこぼれ防止や、盗難防止は可能であるが、袋体に入った商品の購買者は開閉部のファスナー２が開閉しないので商品を取り出すことが出来ないことになる。また、スライダ３をファスナー２に固定することは通常の状態ではできない。いずれにしてもファスナー２を開かないようにしたり、スライダ３の走行を不可とすればファスナー２にスライダ３を取り付ける意味はない。また、ファスナー２に設けたスライダ３を固定することはファスナーとスライダの機能を発揮することが不可能となるので通常の状態では固定することが出来ない。
【０００７】
本発明は、上記する課題を解決するためになされたものであり、ファスナーにスライダを取り付けた状態で運搬しても勝手にこぼれたり、店頭などに展示しても、スライダをスライドさせることが出来ず且つ盗難等を防止することが出来、商品の入った袋体の購入者は簡単に従来のようにスライダをスライドさせることが可能で商品を取り出すことの出来るスライダ保持カバーを提供することを目的としている。
【課題を解決するための手段】
【０００８】
本発明は上記する課題を解決するために、請求項１に記載の発明は、スライダ保持カバー（７）が、袋体（１）に設けたファスナー（２）に取り付けたスライダ（３）周囲の両側側壁（４ａ、４ｂ）と上部壁（４ｆ）と前面に設けた開口部（４ｃ）および後面壁（４ｅ）とより成り、該スライダ（３）を覆うスライダ保持部材（４）と、曲げ可能な平板の一方の端部近傍に先太部（５ｂ）を設けた突起部（５ａ）を、平板の他方の端部近傍に前記先太部を嵌め入れる穴（５ｃ）をそれぞれ設けた係止部材（５）と、
前記スライダ保持部材（４）と係止部材（５）とを連結する連結棒（６）と、を備えてなることを特徴とするものである。
【０００９】
また、請求項２に記載のスライダ保持カバー（７）を設けた袋体（１）は、袋体（１）に設けたファスナー（２）に取り付けたスライダ（３）周囲の両側側壁（４ａ、４ｂ）と上部壁（４ｆ）とスライダ前面に設けた開口部（４ｃ）および後面壁（４ｅ）とより成り、該スライダ（３）を覆うスライダ保持部材（４）と、
曲げ可能な平板の一方の端部近傍に先太部（５ｂ）を設けた突起部（５ａ）を、平板の他方の端部近傍に前記先太部（５ｂ）を嵌め入れる穴（５ｃ）をそれぞれ設けた係止部材（５）と、
前記スライダ保持部材（４）と係止部材（５）とを連結する連結棒（６）と、
を備えたスライダ保持カバー（７）を、前記係止部材（５）の前記突起部（５ａ）を袋体（１）のファスナー（２）近傍に設けた小孔（１ａ）を通し、該突起部（５ａ）を前記穴（５ｃ）に通して固定することを特徴とするものである。
【００１０】
また、請求項３に記載の発明は、スライダ保持カバーまたは／及びファスナー付袋体が、前記スライダ保持部材（４）には、スライダ（３）を覆うように嵌め入れたとき、前記スライダ保持部材（４）の側壁（４ａ、４ｂ）はスライダ（３）寄りに全体を湾曲させかつ内側壁にスライダ側部と接するように凹凸（４ｄ、４ｄ）を設けたことを特徴とするものである。
【発明の効果】
【００１１】
スライダ保持カバーは、ファスナーに取り付けられたスライダにカバー部材を被せると共に係止部材を袋体に固定してスライダを不動とすることが出来る。このため袋体の内部に収容した商品が運搬中にこぼれたり、店頭に並べたとき取り出しが不可能となるので万引き等の盗難を防止することができる。また、スライダカバーは連結棒を鋏やカッター等でカットすることができるのでこれらのスライダカバー部材から係止部材を切り離し、購入者は自由にスライダを移動させ袋体に商品を出し入れすることができる。
【図面の簡単な説明】
【００１２】
【図１】図１は、本発明のスライダ保持カバーの平面図である、
【図２】図２は、本発明のスライダ保持カバーの側面図である。
【図３】図３は、本発明のスライダ保持カバーの底面図である。
【図４】図４は、図１の本発明の平面図をＰ矢視方向から見た図である。
【図５】図５は、図１の本発明の平面図をＱ矢視方向から見た図である。
【図６】図６は、本発明のスライダ保持カバーの図１の平面図のＤーＤ矢視断面拡大図である。
【図７】図７は、本説明を構成する係止部材のＢーＢ矢視断面図である。
【図８】図８は、斜方向前部上方から見た本発明を構成するスライダ保持カバーの全体図である。
【図９】図９は、斜方向後部上方から見た本発明を構成するスライダ保持部材全体図である。
【図１０】図１０は、前部斜方向下方から見た本発明を構成するスライダ保持部スライダ保持部材４の全体図である。
【図１１】図１１は、後部斜方向下方から見た本発明を構成するスライダ保持部材の全体図である。
【図１２】図１２は、図１のスライダ保持部材のＣ部拡大図である。
【図１３】図１３は、スライダを袋体に取り付けた状態のスライダを本発明のスライダ保持カバーで保持させた状態の全体斜視図である。
【図１４】図１４（Ａ）は、ファスナーに設けたスライダに本発明のスライダ保持カバーを被せる前の状態を示す側面図であり、図１４（Ｂ）は、スライダを嵌めた状態のスライダ保持カバーの側面図である。
【図１５】図１５は、本発明のスライダ保持カバーの係止部材をファスナーのある開口部の端部より直角の上端部で固定する状態の図である。
【図１６】図１６は、従来のファスナー付袋体の断面図であり、図１６（Ａ）は袋体に設けたファスナーが係合した状態を示し、図１６（Ｂ）はスライダの突起でファスナーの係合状態を分離した状態を示し、図１６（Ｃ）はスライダでファスナーを係合させた状態をそれぞれ示す。
【発明を実施するための形態】
【００１３】
以下、本発明の具体的実施の形態を添付図を参照しながら説明する。なお、従来と同一の構成要素には従来の符号と同一の符号を使用して説明する。
図１は、本発明のスライダ保持カバーの平面図であり、図２はその側面図であり、図３はその底面図である。図４は図１のＰ矢視方向から見た図であり、図５は図１のＱ矢視方向から見た図であり、図６は図１のＤーＤ矢視拡大断面図であり、図７は図１のＤーＤ矢視断面図である。なお、図２には袋体１のファスナー２に取り付けたスライダ３の側面図も表わされ、スライダ３を覆って保持する前の状態を示している。
【００１４】
これらの図において、上記するように、４は全体を覆って保持するスライダ保持部材である。また、５は平板状の係止部材であって、柔軟な樹脂材等で製作され曲げ可能であり、一方の端部近傍に先太部５ｂを設けた突起部５ａを設け、他方の端部近傍に前記先太部５ｂを嵌め入れる穴５ｃをそれぞれ設けてある。
前記スライダ保持部材４と係止部材５とは連結棒６によって連結されている。すなわち、スライダ保持カバー７は、スライダ保持部材４と係止部材５と連結棒６とで形成されている。また、前記係止部材５に設けた先太部５ｂの突起部５ａは若干の力を入れて押すと他方の穴５ｃを通すことが可能となっている。
【００１５】
図７は、図１の係止部材５のＢーＢ矢視断面図である。上記するように平板状の係止部材５は柔軟な樹脂材製で曲げ可能であり、一方には先太部５ｂの突起部５ａが立設してあり他方には穴５ｃが穿設され、後述するように前記突起部５ａは袋体１に設けた小孔１ａを通して、該突起部５ａを少し押すと該穴５ｃに嵌め入れるようになっている。
【００１６】
図８は、斜方向前部上方から見た前記スライダ保持部材４の詳細を示すと共にスライダ保持カバー７の全体図でもある。図９は斜方向後部上方から見たスライダ保持部材４を示す。また、図１０は前部斜方向下方から見た前記スライダ保持部材４の全体図であり、図１１は後部斜方向下方から見た該スライダ保持部材４の全体図である。これらの図から説明すると、このスライダ保持部材４は、内部にスライダ３全体を収納できるように形成されている。すなわち、このスライダ保持部材４は、スライダ３の両側壁を軽く締めつける程度のスライダ保持部材４のカバー左側壁４ａ と右側壁４ｂ と、門形の開口部４ｃ とスライダの後部を接触させる程度の後壁４ｅ と、前記門形の前部開口部４ｃと後部壁４ｅ とを上部で繋ぐ上部壁４ｆ と、スライダ３の底部両側を載せる程度の底部壁４ｇと、で 構成されている。なお、底部壁４ｇは必ずしも必要なものではない。両側側壁４ａ 、４ｂ と上壁部４ｆとの 間には、窓４ｊ、４ｊが形成される。なお、これらの図において、前記連結棒６の一部を示す。
【００１７】
図１２は図１のスライダ保持部材４の一部のＣ部拡大図であって、前記スライダ３を覆うように嵌め入れたとき、該スライダ保持部材４の側壁４ａ、４ｂ はスライダ３に接するように全体を内側に湾曲させて、内側壁に凹凸４ｄを設けてスライダ３が簡単に滑って移動しないようにしっかり接触し保持するようにしてある。
【００１８】
図１３は、本発明のスライダ保持カバー７に袋体１に取り付けたスライダ３を保持させた状態の全体斜視図である。図１４はまた、スライダ保持部材４でスライダ３を保持させる状態を示している。この図１４（Ａ）に示すように、スライダ保持カバー７にスライダ３を保持させるには、該スライダ保持カバー７をスライダ３より少し後退させ、矢印Ｌのように袋体１まで降ろし、次に矢印Ｍのようにスライダ３方向に移動させて開口部４ｃより入れて該スライダ３を保持する。こうして図１４（Ｂ）に示すように、スライダ３はスライダ保持部材４の中に収納するように嵌め入れることができる。
【００１９】
また、袋体１のファスナー近傍には、孔５ｃを設けた係止部材５を曲げて、該係止部材５の先太部５ｂを設けた突起部５ａを袋体１に設けた穴１ａを通し、前記孔５ｃに通して少し押して係止部材５の穴５ｃに嵌め入れる。こうしてスライダ３をスライダ保持部材４に嵌め入れて袋体１にスライダ保持カバー７を固定することができる。
【００２０】
袋体１には、ファスナー２を設けてスライダ３を取り付け、スライダ保持カバー７のスライダ保持部材４に該スライダ３を嵌め入れ、係止部材５を袋体に取り付けるとスライダ３は不動状態となるのでスライドさせることはできない。従って、商品が運搬中に勝手に袋体１からこぼれたり、店頭に並べて置いた袋体１に収納した商品を盗むことはできない。なお、商品の入った袋体１の購入者は、スライダ保持カバー７の連結棒６を鋏やカッター等で切断すれば、再びスライダ３は自由にファスナー２上を移動させることができる。スライダ保持部材４や係止部材５はスライダ３や袋体１から外してもよい。
【００２１】
図１５は、本発明のスライダ保持カバー７の係止部材５をファスナー２の開口の端部より直角の上端部で袋体１に固定する状態の図である。このように、本発明のスライダ保持カバー７の係止部材５を係止させる場所はファスナー２のある端部と同じ線上である必要はなく、この線上の延長でなく９０度直角の方向の線上で固定しても良い。
【産業上の利用可能性】
【００２２】
本発明のスライダ保持カバー７は、ファスナー２を設けた袋体１に使用することができる。従って、袋体を運搬中に勝手にこぼれて損害をうけたり、百貨店やスーパー等で袋入りの商品を並べて販売する場合、盗難防止を図る観点から利用することができるので、広く製造販売することができる。また、ファスナーだけ設けた既存の袋体にも取り付けることができるので産業上包装袋の分野で広く利用することができる。
【符号の説明】
【００２３】
１    袋体
１ａ  小孔
２    ファスナー
３    スライダ
４    スライダ保持部材
４ａ  スライダ保持部材４のカバー左側壁
４ｂ  スライダ保持部材４のカバー右側壁
４ｃ  スライダ保持部材４のカバー前部開口部
４ｄ  凹凸
４ｅ  スライダ保持部材４のカバーの後壁
４ｆ  スライダ保持部材４のカバー上部壁
４ｇ  スライダ保持部材４のカバー底部壁
４ｊ  スライダ保持部材４の窓
５    係止部材
６    連結棒
７    スライダ保持カバー
【図１】
2012140144.tif 000003
【図２】
2012140144.tif 000004
【図３】
2012140144.tif 000005
【図４】
2012140144.tif 000006
【図５】
2012140144.tif 000007
【図６】
2012140144.tif 000008
【図７】
2012140144.tif 000009
【図８】
2012140144.tif 000010
【図９】
2012140144.tif 000011
【図１０】
2012140144.tif 000012
【図１１】
2012140144.tif 000013
【図１２】
2012140144.tif 000014
【図１３】
2012140144.tif 000015
【図１４】
2012140144.tif 000016
【図１５】
2012140144.tif 000017
【図１６】
2012140144.tif 000018